(57)【要約】  負荷切替可能な２速変速機ユニットを備えた軸駆動ユニットにおいて、ギアチェンジの特に簡単で有利な制御を可能にするために、かつ少ない数の構成部材ならびに少ない費用の制御ロジックおよび制御センサで済ませるために、摩擦クラッチおよびフリーホイールの遮断装置の、機械受動的に実現される切替しきい値を調整し、その調整により、同じ操作量で、常に同一のレベルで駆動制御されることを可能にする。【選択図】図２
2020532691.tif 000002
【特許請求の範囲】
【請求項１】
２つの変速段を実現するための複数の変速機部材を有する２速変速機（２）と、ギアチェンジを実行するための切替システムとを備えた車両用の変速機ユニットであって、
前記切替システムは、
−  クラッチ操作部（２０）を介して切り替え可能で、閉位置では１つのギア部材を回転不動に保持するか、複数のギア部材を互いに回転不動に連結状態にし、開位置では前記１つのギア部材または前記複数のギア部材を解放し、それにより前記１つのギア部材が回転可能であるか、または前記複数のギア部材が互いに回転可能である、摩擦クラッチ（１０）と、
−  ギア部材と協働し、このギア部材をロック回転方向に遮断し、フリーホイール回転方向に回転させるロック装置（１１）であって、前記ロック装置と協働する前記ギア部材は、或る変速段においてロック回転方向に押され、別の変速段においてフリーホイール回転方向に回転する、ロック装置と、
−  遮断操作部を介して切り替えることができ、前記ロック装置（１１）と協働するギア部材の前記フリーホイール回転方向への回転を遮断位置にて遮断することができ、前記フリーホイール回転方向に回転するために解除位置にて解除することができる遮断装置（１９）と、
を含む変速機ユニットにおいて、
前記切替システムが、前記摩擦クラッチ（１０）が前記開位置から前記閉位置への移行を開始するか、前記閉位置から前記開位置への移行が完了するクラッチ切替しきい値を提供し、前記切替システムは、前記遮断装置が前記遮断位置から前記解除位置へ、または前記解除位置から前記遮断位置へ移行する遮断切替しきい値を提供し、
前記遮断切替しきい値は、
−  前記ロック装置と協働する前記ギア部材が前記フリーホイール方向に回転し始める前に、前記遮断装置が前記解除位置にあり、
および／または
−  前記ロック装置と協働する前記ギア部材がロック方向に押圧し始めてから、前記遮断装置が遮断位置に移行するように、前記クラッチ切替しきい値に調整されている、
ことを特徴とする変速機ユニット。
【請求項２】
前記切替システムは、１速でフェイルセーフであるように構成され、又は２速でフェイルセーフであるように構成されていることを特徴とする、請求項１に記載の変速機ユニット。
【請求項３】
前記操作量は油圧であり、前記遮断切替しきい値と前記クラッチ切替しきい値との間には、少なくとも０．５ｂａｒの切替しきい値差があることを特徴とする、請求項１または２に記載の変速機ユニット。
【請求項４】
前記遮断操作部（２２）と前記クラッチ操作部（２０）との両方は、作動状態に関係なく、同じレベルの同じ操作量で駆動制御されることを特徴とする、請求項１から３のいずれか一項に記載の変速機ユニット。
【請求項５】
前記操作量は油圧であり、前記遮断操作部（２２）の油圧による駆動制御と、前記クラッチ操作部（２０）の油圧による駆動制御とは、単一の操作量ユニットによって調整される共通のパイプ圧によって行われることを特徴とする、請求項１から４のいずれか一項に記載の変速機ユニット。
【請求項６】
前記クラッチ操作部（２０）と、前記遮断操作部（２２）との両方は、機械受動的な操作システムであることを特徴とする、請求項１から５のいずれか一項に記載の変速機ユニット。
【請求項７】
前記遮断操作部（２２）は付勢要素（２３）を有し、前記付勢要素（２３）は、操作量が増加するにつれて所望の遮断切替しきい値を機械受動的に表すように寸法設定されていることを特徴とする、請求項１から６のいずれか一項に記載の変速機ユニット。
【請求項８】
前記クラッチ操作部（２０）は付勢要素（２３）を有し、前記付勢要素（２３）は、操作量が増加するにつれて所望のクラッチ切替しきい値を機械受動的に表すように寸法設定されていることを特徴とする、請求項１から７のいずれか一項に記載の変速機ユニット。
【請求項９】
付勢要素（２３）は復帰要素として機能し、前記復帰要素は、操作量が減少すると、前記遮断装置および前記摩擦クラッチをフェイルセーフ位置へ押し戻すことを特徴とする、請求項１から８のいずれか一項に記載の変速機ユニット。
【請求項１０】
請求項１から９のいずれか一項に記載の変速機ユニットを備えた、車両ドライブトレインのための軸駆動ユニット。
【請求項１１】
前記軸駆動ユニット（１）は、ホイールシャフトを駆動するための差動ユニット（１４）を有し、前記２速変速機（２）および前記差動ユニット（１４）は、共通の軸駆動ハウジング（１６）に配置されていることを特徴とする、請求項１０に記載の軸駆動ユニット。
【請求項１２】
前記遮断操作部（２２）と前記クラッチ操作部（２０）との両方が、作動状態に関係なく、同じレベルの同じ操作量で駆動制御されることを特徴とする、請求項１から９のいずれか一項に記載の変速機ユニット、または請求項１０もしくは１１に記載の軸駆動ユニットの作動方法。
【請求項１３】
切替システム圧は、単一の操作量ユニット、特に単一の電子制御される油圧ポンプ、または単一の電子制御される制御弁を介して調整されることを特徴とする、請求項１２に記載の方法。
【請求項１４】
前記変速機ユニットに導入された入力トルクは、１速から２速へのギアチェンジの際に増加し、一方で、前記クラッチ（１０）によるトルクの受け渡しが増加する結果、前記ロック装置（１１）の負荷は次第に減少することを特徴とする、請求項１３に記載の方法。
【請求項１５】
２速から１速へのギアチェンジの際に、前記ロック装置（１１）がロック回転方向の回転トルクを支持し始める前に、電動モータ回転数は、１速の変速比によって指定された回転数に増加することを特徴とする、請求項１４に記載の方法。
【発明の詳細な説明】
【技術分野】
【０００１】
本発明は、請求項１のプリアンブルによる２速変速機ユニット、および請求項１２のプリアンブルによる、そのような２速変速機ユニットにおける切替動作の制御方法に関する。さらに、本発明は、そのような２速変速機ユニットを備えた軸駆動ユニットに関する。
【背景技術】
【０００２】
そのような２速変速機ユニットを備えた軸駆動装置は、文書ＤＥ１０２０１５１０４２０３Ａ１（独国特許出願公開第１０２０１５１０４２０３号）にも示されている。遊星歯車機構として構成された２速変速機ユニットでは、１速を実現するために、太陽歯車がブレーキまたはフリーホイールを介して遮断される。２速を実現するために、変速機の構成群ユニットをクラッチで連結状態にし、これにより構成群ユニットは、直接駆動を実現した状態において、かつ太陽歯車の回転方向を変更することによって太陽歯車が２速でフリーホイールによって解除される結果、連結体として回転する。さらに、この刊行物は、１速でも回生動作を可能にするために、１速に太陽歯車を固定するための追加の爪クラッチを設ける手段を開示している。さらに、負荷切り替えがアクチュエータの補助によって行われることも開示されている。この刊行物には、実際の切替動作の実行方法についての情報は含まれていない。
【発明の概要】
【発明が解決しようとする課題】
【０００３】
この背景から、本発明の課題は、ギアチェンジの特に簡単で有利な制御を可能にするように構成された、冒頭で述べた種類の変速機ユニットを提供することである。この目的のために使用される切替システムは、できるだけ少ない数の構成部材で済み、できるだけ少ない制御ロジックおよび制御センサを必要とする。
【課題を解決するための手段】
【０００４】
この課題を解決するために以下のことが企図される：切替システムが、摩擦クラッチが開位置から閉位置への移行を開始するか、閉位置から開位置への移行が完了するクラッチ切替しきい値を提供し、該切替システムは、遮断装置がギアチェンジの際に、遮断位置から解除位置へ、または解除位置から遮断位置へ移行する遮断切替しきい値を提供し、切替動作時に、
−  ロック装置と協働するギア部材がフリーホイール方向に回転し始める前に、遮断装置が解除位置に移動しており、
および／または
−  ロック装置と協働するギア部材がロック方向に押圧し始める前は、遮断装置は遮断位置に移動しない
ように、遮断切替しきい値は、クラッチ切替しきい値に調整されている。
【０００５】
そのような２速変速機ユニット、またはそのような変速機ユニットを搭載した軸駆動ユニットの作動方法に関して、遮断操作部とクラッチ操作部との両方が、作動状態に関係なく、同じレベルの同じ操作量で駆動制御される。
【０００６】
切替しきい値の間隔をより明確にするために、クラッチが閉位置へ移行する際にトルクを伝達し始める前に、すなわち、クラッチのキスポイントに到達する前に、遮断装置が解除位置に移行するように、遮断切替しきい値とクラッチ切替しきい値とを互いに調整することができる。同様に、代替的または追加的に、クラッチが開放位置に到達する前に遮断装置が遮断位置に移行しないように、遮断切替しきい値とクラッチ切替しきい値とを互いに調整することもできる。
【０００７】
切替システムの切替安全性をさらに高めるために、遮断装置が切り替わる遮断切替しきい値と、切替クラッチが切り替わるクラッチ切替しきい値とは、クラッチが開位置から閉位置に移行し始める前に遮断装置の解除位置への移行が完了するように、互いに調整することができる。
【０００８】
切替システムは、好ましくは１速でフェイルセーフ（ｆａｉｌ−ｓａｆｅ）になるように構成されている。これは、操作量の供給が失敗した場合、非加圧状態のシステムにおいて、変速機ユニットが１速にあるため、１速でも遮断位置にある遮断装置で作動できることを意味する。このために、システムは、通常遮断された遮断装置（非加圧切替システムにおいて遮断位置にある遮断装置）と、常開の摩擦クラッチ（非加圧切替システムにおいて開放位置にある摩擦クラッチ）とを有する。
【０００９】
しかしながら、切替システムは、２速に対してもフェイルセーフ（ｆａｉｌ−ｓａｆｅ）に構成することもでき、すなわち、通常解除された遮断装置（非加圧切替システムにおいて解除位置にある遮断装置）と、常閉の摩擦クラッチ（非加圧切替システムにおいて閉鎖位置にある摩擦クラッチ）とを有する。
【００１０】
ここで、クラッチ切替しきい値は、クラッチ操作に作用する操作量、好ましくは油圧のレベルによって指定され、そこから、クラッチは開位置から閉鎖し始めるか、または閉位置から出発して完全に開く。操作量が油圧である場合、これに適した値は約２ｂａｒ〜３ｂａｒ、好ましくは２．３ｂａｒ〜２．７ｂａｒである。
【００１１】
遮断装置に作用する操作量のレベルによって指定され、同様に好ましくは油圧である遮断切替しきい値は、遮断装置が遮断位置から解除位置に、または解除位置から遮断位置に移行し始める切替しきい値である。操作量が油圧である場合、特に切替システムが、１速ギアでフェイルセーフになるように構成されている場合、遮断切替しきい値は、クラッチ切替しきい値よりも小さく、好ましくはクラッチ切替しきい値よりも約１．５ｂａｒまたは約０．５ｂａｒ〜約１ｂａｒ小さい。２速でフェイルセーフになるように構成されている切替システムでは、遮断切替しきい値は、好ましくはクラッチ切替しきい値よりも０．５ｂａｒ〜１ｂａｒ大きい。
【００１２】
遮断切替しきい値とクラッチ切替しきい値との間の切替しきい値差は、切替セキュリティとして提供され、操作量が増加すると、クラッチ切替しきい値に到達する前に、遮断装置が解除位置にシステム固有に確実に到達し、および／または、クラッチ切替しきい値が既に超えられてから、遮断位置をシステム固有にとるように作用する。ギアを別の方向に変更する場合、遮断装置が解除位置から離れ始める前に、クラッチが完全に開いていることが保証される。
【００１３】
上述の説明から、それぞれの切替しきい値は、1つの同一の切替システム内および型式内でも、性質、摩擦特性におけるずれ、または個々の構成部材の公差のずれの結果として、一定の分散が生じる可能性があり、また、ヒステリシスの結果、操作量が増加または減少したときに、切替しきい値を超えているかどうかによって異なる可能性がある。したがって、切替しきい値に非常に具体的で明確な操作量値（油圧）を割り当てることはできず、小さな分散範囲に及ぶ値のみを割り当てることができる。
【００１４】
上述の切替システムの構成により、作動状態に関係なく、同じレベルの同じ操作量で、遮断操作部およびクラッチ操作部の両方を常に駆動制御することができる。これは、例えば油圧を供給する、好ましくは電子的にポンプ電流または回転数を介してトルクおよび／または回転数制御される油圧ポンプなどの操作量ユニットのみが、または油圧制御弁のみが、クラッチ操作部および遮断操作部の上流に配置される必要があることを意味する。同じ同一の操作量、特に、単一の油圧ポンプまたは単一の油圧制御弁によって調整される共通油圧ライン圧力は、クラッチ操作部および遮断操作部に常に同じレベルで作用することができる。遮断操作部およびクラッチ操作部は、同じ油圧ラインを介して駆動制御できる。
【００１５】
これにより、クラッチ操作部と遮断操作部の両方を、機械受動的操作システムとして構成できる。機械受動的とは、外部（電子）制御介入やセンサ系を必要とせずに、純粋に機械的特性に基づいて、所望の切替順序を保証する操作であると理解されている。このために、遮断操作部およびクラッチ操作部は両方とも、好ましくは油圧を介して操作されるアクチュエータを含み、所望の切替順序または切替シーケンスを保証する付勢要素を有する。したがって、遮断操作部の付勢要素は、操作量が増加するにつれて所望の遮断切替しきい値を機械受動的に表すように寸法設定され、クラッチ操作部の付勢要素は、操作量が増加するにつれて所望のクラッチ切替しきい値を機械受動的に表すように寸法設定されている。同時に、付勢要素は復帰要素として機能し、復帰要素は、操作量が減少し、それぞれの切替しきい値を下回ると、遮断装置をフェイルセーフ位置、すなわち、切替システムが非加圧状態で意図通りにとる位置へ押し戻す。
【００１６】
２速ギアのフェイルセーフ切替システムでは、操作量の減少（切替システムの圧力の減少）とともに、復帰要素が遮断装置を解除位置に、摩擦クラッチを閉位置に押し込む。１速ギアのフェイルセーフな切替システムでは、復帰要素は、操作量の減少（切替システムの圧力の減少）とともに、遮断装置を遮断位置に、摩擦クラッチを開位置に押し込む。
【００１７】
遮断装置は、好ましくは、形状結合式に作用する遮断装置であり、これにより、遮断装置と協働するギア部材が、変速機ユニットまたは軸駆動ユニットのねじり剛性構成部材に対して、特に変速機または軸駆動ハウジングまたはその上に回転不動に固定された構成部材に対して、トルク支持する形状結合を形成して支持される。遮断装置は、ロック装置に組み込むことができ、遮断装置およびロック装置は、有利な実施形態では、変速機ユニットまたは軸駆動ユニットのハウジング外側に取り付けられる共通のハウジングを有することができる。ロック装置は、特に、自動的に切り替わる機械受動的フリーホイールとして構成できる。
【００１８】
遮断装置は、１速のロック装置またはフリーホイールを両方の回転方向で遮断することにより、１速において、通常の直進走行に対して変速機のトルク反転を伴う動作状態（回生動作または後進）で、トルクが効果的に支持されることを保証する。したがって、車両は１速でも回生し、後進することができる。
【００１９】
なお、１つまたは複数のギア部材と遮断装置との協働、または摩擦クラッチを用いた１つまたは複数のギア部材の回転不動の保持もしくは連結状態化は、単に機能的な観点での協働または回転不動の保持もしくは連結状態化を意味し、必ずしも、遮断装置とそれと協働するギア部材とが互いに直接係合しているか、または摩擦クラッチとそれにより保持または連結状態化されているギア部材が直接接触しているわけではない。機能的な協働は、介在接続された中間要素を介して間接的にも行われる。
【００２０】
遮断装置と機能的に協働するギア部材、および／またはロック装置と機能的に協働するギア部材は、それぞれ太陽ユニットの太陽歯車、特に、支持太陽歯車を備えた支持太陽歯車ユニットと、従動太陽歯車を備えた従動太陽歯車ユニットとを備えた二重太陽ユニットの支持太陽歯車であることが好ましい。摩擦クラッチによって連結状態にされるギア部材は、好ましくは、外歯車ユニットと、二重太陽ユニットに属する駆動太陽歯車、または二重太陽ユニットに属する支持太陽歯車とである。当然ながら、他の減速比や他の負荷経路を実現するために、または内歯の中空歯車を備えた古典的な遊星歯車機構を使用する場合など、特定の用途に適切である場合、摩擦クラッチおよび遮断装置のこの機能的な配置構成から逸脱してもよい。したがって、特に摩擦クラッチは、遊星ユニットおよび外歯車ユニット、または太陽ユニットおよび遊星ユニットを連結状態にするように配置してもよい。
【００２１】
遊星ユニットは、特に、異なる有効直径を備えた複数の遊星歯車対を備えた、二重遊星ユニットとして構成することができる。遊星歯車は、回転するウェブシャフトに支承されており、ウェブシャフトは、電気モータによって駆動されるシャフト（ギア駆動シャフト）と噛み合う駆動輪ユニットに固定的に接続されているか、または少なくともこれに関連して位置固定され、回転可能に支承されている。好ましくは外歯車ユニットとして構成されているこの駆動輪ユニットは、ウェブシャフトとともに、電気モータによって駆動される変速機の入力部材を形成する。駆動輪ユニットは、好ましい実施形態において、外歯車ユニットとして遊星歯車を少なくとも部分的に径方向内側で収容できるが、遊星歯車と内歯が噛合している古典的な遊星歯車装置の内歯の中空歯車とは違い、好ましくは、電動モータによって駆動されるシャフト（変速機駆動シャフト）と外側で噛合する、内歯ではなく外歯のみの駆動輪として構成されている。
【００２２】
乗用車の電動またはハイブリッド駆動される車両ドライブトレイン内で電動推進力を伝達するための、負荷切替可能な２速変速機を備えた２速変速機ユニットは、車両の電動またはハイブリッド駆動軸の２つの車輪に電動駆動力を分配するために機能する、軸駆動ユニットの一部として設けられている。このために、２速変速機ユニットまたは軸駆動ユニットは、好ましくは、軸駆動ユニットによって駆動される軸の左右の駆動輪の差動回転数を補償する差動ユニットを有する。このような２速変速機ユニットは２つの変速比を有し、好ましくはそのうちの１つは直接駆動（ｉ＝１、好ましくは２速）として実現され、１つの変速比は直接駆動と異なる変速比（ｉ  １、好ましくはｉ＞１、より好ましくは１．７＜ｉ＜２、それぞれ好ましくは１速）で実現されている。したがって、２速変速機ユニットは、それぞれが１つまたは複数のギア部材を有することができる３つのギア構成群ユニットである駆動輪ユニット（好ましくは外歯車ユニットとして構成されている）と、遊星ユニットまたは二重遊星ユニットと、太陽ユニットまたは二重太陽ユニットとをさらに有することが好ましい。軸駆動ユニットは、有利には軸駆動ハウジングを有することができ、その中に２速変速機ユニットと差動ユニットの両方、および好ましくは電気駆動機械（電動モータ）が共に組み込まれている。ここで、電気駆動機械は、駆動輪を駆動するハーフシャフトの回転軸と同軸に配置することができる。
【００２３】
前段落で概説した軸駆動ユニットと、そのような軸駆動ユニットに適した２速変速機とは、国際特許出願ＰＣＴ／ＥＰ２０１６／０７９１６９の書類に開示されており、これは全範囲が本出願の主題である。
【図面の簡単な説明】
【００２４】
【図１】共通の軸駆動ハウジングに組み込まれた２速変速機ユニットと、非差動クラッチ制御式の差動装置とを備えた軸駆動装置を示す。
【図２】図１に示される軸駆動ユニットの概略図を示す。
【図３】ギアチェンジの際の切替順序の図を示す（負荷がかかっている場合の１速から２速へのアップシフト）。
【図４】ギアチェンジの際の切替順序の図を示す（２速から１速へのダウンシフト）。
【発明を実施するための形態】
【００２５】
図１および図２は、統合された２速変速機２を備えた軸駆動ユニット１をそれぞれ示す。軸駆動ユニットは、車両の電動および／または内燃機関（ハイブリッド）ドライブトレインで使用されるように構想されている。
【００２６】
電気モータＥＭによって駆動される変速機駆動シャフト３は、外歯車ユニット４を介して２速変速機２に電動駆動力を導入するために、外歯を介して２速変速機２の外歯車ユニット４と直接係合する。このために、外歯車ユニット４は外歯車５を有し、その外側を向いた被覆面には、駆動される変速機駆動シャフト３と係合する外歯車歯列が直接形成されている。
【００２７】
図１に示す実施例では、外歯車ユニット４は遊星ユニット６に回転不動に接続されているため、クラッチ１０の切替位置に関係なく、遊星ユニット６と外歯車ユニット４との互いに対する回転は不可能である。したがって、外歯車ユニット４と遊星ユニット６とは、共に２速変速機の入力部材として機能する機能ユニットを形成する。
【００２８】
遊星ユニット６は、二重遊星ユニットとして構成され、複数の遊星歯車対を有し、遊星歯車対は、それぞれ第１の遊星歯車７および第２の遊星歯車７を含む。第１の遊星歯車７および第２の遊星歯車７は、互いに回転不動に接続されており、異なる有効直径を有する。このために、一対の遊星歯車は、互いに回転不動に配置された第１の遊星歯車７および第２の遊星歯車７により、一体部品としてまたは複数の部品として構成できる。
【００２９】
外歯車ユニット４または外歯車５が変速機駆動シャフト３を介して回転駆動される場合、外歯車５は、遊星歯車対が回転可能に支承された遊星歯車シャフト１７を伴う。第１の遊星歯車７は支持太陽歯車９と噛み合い、第２の遊星歯車７は従動太陽歯車９と噛み合う。第１の遊星歯車と第２の遊星歯車、ならびに支持太陽歯車９と従動太陽歯車９とは、それぞれ異なる有効直径を有する。
【００３０】
軸駆動ユニット１は、形状結合式に作用する差動歯車装置を備えていないが、電動駆動力が駆動輪に伝達される個別駆動制御可能な２つの差動クラッチ１８を備えた、非差動歯車装置・クラッチ制御型差動ユニット１４を有する。当然ながら、このような差動ユニットに代えて、古典的な差動ギアを使用することもできる。図１および図２から分かるように、変速機駆動シャフト３は中空シャフトとして実施され、その回転軸は、ホイールシャフトの回転軸および電動モータＥＭの回転軸と合同である。
【００３１】
外歯車５に放射状に組み込まれているのは、それぞれが第１の遊星歯車７と、第２の遊星歯車７とを含む複数の遊星歯車対を備えた二重遊星ユニット６であり、遊星歯車対はまた、遊星ユニット６に軸方向に組み込まれた、支持太陽歯車９と駆動太陽歯車９とを有する太陽歯車ユニット８に噛合する。
【００３２】
遊星ユニット６の側面には油圧作動式クラッチ１０が配置され、クラッチ１０を閉じることにより、従動太陽歯車９と外歯車ユニット４とを互いに連結状態にすることができるため、外歯車ユニット４と、遊星ユニット６と、太陽ユニット８とを含む２速変速機２が、直接駆動（ｉ＝１、好ましくは２速）の実現のために連結体として回転する。ここで、支持太陽歯車９は、フリーホイール回転方向に軸駆動ハウジング１６に対しても回転し、この回転方向に、フリーホイールが支持太陽歯車９をフリーホイール回転方向に回転できるようにする解除位置に遮断装置１９がある限り、図示の実施例で軸駆動ハウジング１６の外側に回転不動に配置されているフリーホイール１１が許容される。支持太陽歯車９とフリーホイール１１との協働を可能にするために、支持太陽歯車９に回転不動に接続された内側シャフトが、中空シャフトとして構成された変速機従動シャフト１３内で外側に案内されて、そこで、外側から軸駆動ハウジング１６に配置され、ひいては外部から良好にアクセス可能なロック装置（フリーホイール１１）と協働する。
【００３３】
所望の変速比ｉ＞１（好ましくは１速）を実現するために、第１の遊星歯車７の有効直径は第２の遊星歯車７の有効直径よりも大きく、したがって、支持太陽歯車９の有効直径は従動太陽歯車９の有効直径よりも小さくなる。
【００３４】
クラッチ１０が開いている場合、回転方向の反転の結果としてロック回転方向に負荷がかかる支持太陽歯車９は、フリーホイール１１を介して軸駆動ハウジング１６に対して支持される。第１の遊星歯車７は停止している支持太陽歯車９上を転がり、一方で、これが遊星歯車シャフト１７の周りを回転し、第２の遊星歯車７を直接駆動し、これは、第２の遊星歯車７と従動太陽歯車９の間に作用する歯列を介して従動太陽歯車９を駆動し、ひいては、これにより回転不動に接続された変速機従動シャフト１３を駆動する。従動太陽歯車９と変速機従動シャフト１３とは、図１に示すように一体に構成されていれば、共に変速機出力要素を形成することができる。当然ながら、従動太陽歯車９を変速機従動シャフト１３とは別個の部品として回転不動に変速機従動シャフト１３と接続させることにより、変速機従動シャフト１３と従動太陽歯車９とは、複数の部材としても実施することができる。
【００３５】
なお、支持太陽歯車９と噛合する第１の遊星歯車７は、図１に示すように、原則として、クラッチ１０とは反対側、すなわち遊星歯車対の図１の右側と、クラッチ１０に面する、すなわち遊星歯車対の図１の左側との両方に配置できることに留意されたい。図１および図２に示される実施形態とは反対に、変速機従動シャフト１３は、内側シャフトとして構成でき、一方で、ロック装置（フリーホイール１１）と協働し、支持太陽歯車９と回転不動に接続されるシャフトは、内側シャフトを囲む中空シャフトとして構成できる。
【００３６】
しかしながら、図１および図２に示す実施形態が好ましい、なぜなら、ここでは、クラッチ１０が変速機入力部材として機能する機能ユニット（外歯車ユニット４およびこれとユニットを形成する遊星ユニット６）を、変速機従動シャフト１３と直接連結状態にするため、間にある他の構成部材（遊星歯車対、支持太陽歯車、ベアリングなど）が効果的にまたぎ越され、ひいては駆動チェーンから広範囲にわたって取り外されており、車両が直接駆動で作動している際に大きな負荷を受けない。
【００３７】
また、図１および図２に示す実施形態の利点は、クラッチ１０のクラッチプレートを、外側被覆面が第１の遊星歯車７よりも小さい直径を占める第２の遊星歯車７の周りに配置できることである。これにより、クラッチ１０は、遊星歯車対の少なくとも一部を半径方向外側で取り囲んでいるにもかかわらず、クラッチ１０が第１の遊星歯車７の周りに配置される実施形態よりも小さい直径を有することができる。
【００３８】
なお、外歯だけの外歯車、二重遊星ユニットおよび二重太陽ユニットを備えた図１に示す実施形態とは異なり、当然ながら、以下のような古典的な遊星歯車機構が使用される実施形態、すなわち、特に国際特許出願ＰＣＴ／ＥＰ２０１６／０７９１６９の書類に記載されているように、外歯車ユニットとして、内歯付き中空歯車と、簡単な遊星ユニット（有効径の異なる２つの遊星ギアを有する遊星歯車対のない遊星ユニット）と、簡単な太陽ユニット（太陽歯車が１つのみの太陽ユニット）とが使用され得る実施形態も考えられることに留意されたい。
【００３９】
図２から、遮断装置のクラッチ操作部２０および遮断操作部２２の両方が、同じ油圧パイプラインを介した油圧によって常に同じレベルで駆動制御されることが分かる。遮断操作部２２およびクラッチ操作部２０は両方とも、ばねによって形成される付勢手段２３を有し、これは同時に復帰手段としても機能する。付勢手段２３の寸法によって、図２に示す切替システムにおいて、摩擦クラッチ１０が閉じ始める前に遮断装置１９が圧力切替しきい値で既に遮断位置に入り、システム圧力がクラッチ切替しきい値を超えている限りそこに確実に留まることが保証される。単に機械的な手段を使用した遮断切替しきい値とクラッチ切替しきい値とのこの調整により、１速のフェイルセーフシステムである図２に示す切替システムの所望の切替シーケンスは、システム内で機械的に固有である。この構成により、単純な制御が可能になるだけでなく、１つのポンプまたは１つの弁のみを介して遮断操作部およびクラッチ操作部の両方を油圧で駆動制御でき、かつ、所望の切替順序において両方の操作部がそれぞれの切替しきい値を下回ると、フェイルセーフ位置に戻る。アップシフトにおいても、ダウンシフトにおいても、例えばダブルクラッチ変速機で要求される制御困難なハンドオーバーは不要である。
【００４０】
図３および図４は、７つの個別のセクションＡからＨ（アップシフト）またはセクションＨからＮ（ダウンシフト）での切替動作のシーケンシャル順序を、曲線推移図を使用して示すものであり、切替システムにおける回転数、トルク、および油圧が示されている。図３は、１速から２速へのシフトアップ時の経過を示し、図４は、２速から１速へのダウンシフト時の経過をシーケンシャル順序で時間軸上に示している。各セクションＡ〜Ｇの幅は、時間に比例して示されていない。曲線推移図は、切替動作を図画によって明示するイラストとして使用され、定量的かつ絶対的に解釈されるのではなく、実際の経過の大まかな近似としてのみ解釈される。以下で説明する個々のセクションは、実際には境界がはっきりせず互いに重なっている。
【００４１】
負荷がかかっている場合のアップシフト動作は次のとおりである。
【００４２】
セクションＡでは、１速に入っている。電気モータの回転数は、現在の車両速度と車両の加速度で１速が指定する（直線状の１速）回転数に従う。電気モータの回転数の増加によって、車両が加速していることがわかる。油圧システムの圧力はゼロである。フリーホイールには、ロック方向に押す支持太陽歯車を支持するため、一定のトルクが印加される。変速機に入り、電気モータによって供給される変速機入力トルクは一定である。セクションＡの最後に、ギアを１速から２速に変更する切替要求がある。
【００４３】
セクションＢおよびＣは、希望のギアチェンジに備えた切替システムの事前調整を示す。切替要求の結果として、セクションＢ（ロック解除セクション）では、遮断切替しきい値を超えると、油圧切替システムの圧力が上昇する。したがって、遮断装置は解除位置に移行し、セクションＢの終わりにフリーホイールのロックが解除される。セクションＢの後にセクションＣ（ブリッジングセクション）が続き、ここでは、切替システムの圧力が遮断切替しきい値ＢＳを短時間の間一定して上回り、好ましくはクラッチ切替しきい値ＫＳの領域で保持されるため、フリーホイールは確実にロック解除でき、または解除されたと見なすことができる。セクションＣの時間は非常に短くすることも、省略することもできる。セクションＢとＣの終わりで、システムは切替動作のために事前調整される。
【００４４】
セクションＤ（キスポイントセクション）では、クラッチ切替しきい値ＫＳを超えると、クラッチのキスポイントに接近する。この段階では、実際のキスポイントに到達する前のシステム摩擦の増加と、接近するクラッチプレート間の影響とにより、実際のキスポイントに到達する前にクラッチ配置構成がトルクをわずかに伝達するため、クラッチトルクがわずかに増加する。
【００４５】
セクションＥ（トルクセクション）では、フリーホイールの下降トルク曲線とクラッチのトルク増加曲線とが示すように、負荷またはトルクがフリーホイールからクラッチに次第に移動している。フリーホイールが次第に解除され、一方で、同時に切替システムの圧力の増加によりクラッチの負荷が次第に増加し、伝達される動力の割合が増加する。滑らかな負荷伝達、特に運転者が気づく推進力の低下をなくすために、変速機入力部材での入力トルクは、クラッチによって次第に伝達されるクラッチトルクと調整して、電動モータによって増化される。このセクションＥで実行される２つのクラッチ側の回転数調整により摩擦クラッチで発生する損失力は、この方法で効果的に補償されるため、駆動輪に到達する駆動力は可能な限り一定に保たれ、したがって、運転者は牽引力の中断を感じない。セクションＥの終わりで、フリーホイールは完全に解除される。フリーホイールと協働するギア部材、図１および図２の支持太陽歯車９は（ちょうど）静止しており、フリーホイール方向に（ちょうど）回転を開始しようとしているが、これは、遅くとも今完了している必要がある事前に行われた解除位置への遮断装置の移行により、自在に可能である。ただし、変速機の入力側と変速機の出力側の間の有効な変速比は、略１速の変速比のままである。ただし、変速比は、２つのクラッチ側の間の回転数差によって表される。
【００４６】
ここでセクションＦ（電動モータの回転数調整）の実際の切替動作が続き、電動モータの回転数は２速で指定された回転数に調整される。回転数に関する図から、現在の速度では、電気モータの回転数は２速で指定された回転数に近づいていることがわかる。この段階では、エンジン回転数は低下するが、慣性によるシステム内のエネルギー、特に電気モータにある運動エネルギーを最初に低下させる必要があるため、エンジントルクは低下制御される。クラッチをさらに閉じ、クラッチを介して伝達されるトルクをさらに増加させ、クラッチ入力側とクラッチ出力側との間の差動回転数をゼロに減少させるために、この段階で切替システム圧力はさらに増加する。支持太陽歯車がフリーホイールをフリーホイール回転方向に回転させ始め、これは、フリーホイールの負の低下する回転数曲線で示されている。
【００４７】
セクションＦからセクションＧへの移行時に、電気モータが現在の速度において２速で指定された回転数に達すると、トルクは推進力の知覚される均一性のために指定された速度で必要なレベルに上昇され、完了したエンジン回転数の低下によって生じる駆動力の損失を補償する。すでにセクションＧ（クラッチ閉鎖セクション）の開始時に閉位置にあり、スリップなく駆動力全体を伝達する摩擦クラッチは、最大圧力レベルまでさらに増加する切替システム圧力によって、より強固に閉鎖される。セクションＧの後、アップシフトが完了する。
【００４８】
ダウンシフト時（図４）には、まずセクションＨの最後に対応するシフト要求が行われる。セクションＩ（保持トルクの接近）では、スリップする（スリップ圧）前に現在の運転状態で必要なクラッチの摩擦係合位置に達するまで、切替システムの圧力を低下させる。
【００４９】
セクションＪでは、セクションＪの終わりまで一定の（負の）回転数でフリーホイール方向に回転する（直線経過  フリーホイール）、フリーホイールと協働するギア部材が、駆動力の増加分が１速を介して伝達されるため、セクションＫ（回転数調整  電気モータ）の始めに比較的低速で回転し始めるまで、切替システムの圧力が低速でさらに低下する。電気モータを２速の変速比で指定された回転数から１速の変速比で指定された回転数まで上げると同時に、摩擦クラッチで発生した摩擦損失を補償し、運転者が切り替えの折り目をできるだけ感じないようにするために、電動モータの回転数は変速機入力トルクとともに増加する。
【００５０】
セクションＫの終わりで、フリーホイールは、フリーホイール内のロック部材が荷重伝達システムに入るまで、フリーホイール方向と反対方向に短時間回転する。フリーホイールの回転数、またはフリーホイール（ロック装置）と協働するギア部材の回転数はゼロになる。
【００５１】
セクションＬ（トルク段階）から、フリーホイールによって支持されるトルクが、入力トルクがフリーホイールによって次第に支持され、クラッチが解除される程度に増加することがわかる。この段階では、入力トルクは、クラッチを介して生じる損失力が減少する程度に減少する。セクションＬの終わりとセクションＭでは、システムは１速にある。ただし、遮断切替のしきい値はまだ下回っていないため、セクションＭの遮断装置はまだ解除位置にある。セクションＮにある切替システムの圧力がさらに低下すると、機械的復帰手段によって駆動され、遮断装置が遮断位置に移行し、したがってセクションＮの終わりに、切替システムの圧力が完全に低下した時に、回生動作または後進も可能となる。
【００５２】
最後の図３および図４に示された曲線推移図から、摩擦クラッチおよび遮断装置の両方が、各切替システム状態において同じ切替システム圧力で駆動制御されていることが分かる。
【符号の説明】
【００５３】
１  軸駆動ユニット
２  ２速変速機
３  変速機駆動シャフト
４  外歯車ユニット
５  外歯車
６  遊星ユニット
７、７  遊星歯車
８  太陽ユニット
９／９  支持太陽歯車／従動太陽歯車
１０  クラッチ
１１  受動フリーホイール（ロック装置）
１３  変速機従動シャフト
１４  差動ユニット
１５  差動ハウジング
１６  軸駆動ハウジング
１７  遊星歯車シャフト
１８  差動クラッチ
１９  遮断装置
２０  クラッチ操作部
２２  遮断操作部
２３  付勢手段／復帰手段
２４  油圧ポンプ
２５  油圧パイプライン
ＥＭ  電動モータ
【図１】
2020532691.tif 000003
【図２】
2020532691.tif 000004
【図３】
2020532691.tif 000005
【図４】
2020532691.tif 000006
【国際調査報告】
2020532691.tif 000007
2020532691.tif 000008
2020532691.tif 000009
2020532691.tif 000010
2020532691.tif 000011
2020532691.tif 000012